(57)【要約】【課題】第一の範囲から第二の範囲に情報機器が移動した場合に情報提供をする携帯端末を提供することにある。【解決手段】現在の位置情報を取得する位置情報取得部１０１、通信機器が通過した位置情報を通過地点情報として設定する通過地点情報設定部１０２、現在の通過経路と経路情報が合致しているかを判定する経路情報情報監視部１０３、および設定した経路情報に応じて予め携帯電話制御手順を登録し、その手順を実行するアクション処理部１１２により構成された携帯電話機により解決する。【選択図】  図１
2004304393.tif 000002
【特許請求の範囲】
【請求項１】
位置情報を知らせることができる通信機器で、位置情報取得する手段と、通信機器が通過した位置情報を通過地点情報として設定する手段と設定された経路情報と現在の通過経路が合致しているかを判定する手段および設定した経路情報に応じて予め携帯電話機の制御手順を登録することができ、その手順に応じて通信機の制御をすることを特徴とする携帯電話機。
【請求項２】
請求項１の携帯電話機において、前述の通過地点情報を設定する手段は、通過地点設定操作により現在の位置情報を一定間隔で通過地点情報として設定する手段を備え、本携帯電話機を持って移動することで経路情報を設定する手段を含むことを特徴とする携帯電話機。
【請求項３】
請求項１の携帯電話において、前述の経路情報を監視する手段は、経路情報監視操作により、現在の位置情報と設定された経路情報が合致しているか判定し、合致している場合は、次経路情報と次位置情報をくらべる経路判定手段を備えることを特徴とした携帯電話機。
【請求項４】
請求項１の携帯電話において、設定された経路情報を編集することにより、特定のスケジュールに合わせることできることを特徴とした携帯電話機。
【請求項５】
請求項１の携帯電話において、予め登録された携帯電話機の制御手順を実行するかを判定する手段を備えることを特徴とする携帯電話機。
【発明の詳細な説明】
【０００１】
【発明の属する技術分野】
本発明は、携帯電話機における経路情報設定方法及び自動手順実行方法に関する。
【０００２】
【従来の技術】
従来技術として、ある目標位置範囲外から範囲内に入ったり目標範囲内から範囲外に出たりしたときに予め登録した手順を実行することを開示したものがある（例えば、特許文献１参照）。
【０００３】
また、帰宅時間予測システムで、現在位置から自宅までの残りの経路を割り出しその残りの経路を算出することで、帰宅までの時間を予測し、帰宅時間を基準に家電機器の遠隔制御を行うことを開示したものがある（例えば、特許文献２参照）。
【０００４】
【特許文献１】
特開２００２−４４２７１号公報
【特許文献２】
特開２００２−２６７４８７号公報
【０００５】
【発明が解決しようとする課題】
上記従来技術は、ある目標位置範囲外から範囲内に入ったり目標範囲内から範囲外に出たりした場合だけで、予め登録した情報の提供をするものであるが、範囲内外の判定のほかに第一の範囲から第二の範囲へ通過する場合については、述べられていない。
【０００６】
本発明の目的は、第一の範囲から第二の範囲に情報機器が移動した場合に情報提供をする携帯端末を提供することにある。
【０００７】
【課題を解決するための手段】
上記目的を達成するために、現在の位置情報を取得して通過した位置情報として経路情報を設定する。設定した経路情報と現在の通過経路が合致しているかを判定し、経路情報に合致している場合、予め登録した手順を実行するようにしたものである。
【０００８】
さらに、通過地点設定操作により位置情報取得部から得られる現在の位置情報を一定間隔で通過地点情報として設定する機能を備えたものである。また、通過地点情報設定中に、本携帯電話機を持って移動することにより経路情報を設定する機能を備えたものである。
【０００９】
さらに、経路情報監視操作により、現在の位置情報と設定された経路情報が合致しているか判定し、合致している場合は、次経路情報と次位置情報をくらべる機能を備えたものである。
【００１０】
さらに、設定した経路情報を特定のスケジュールに合わせるために、経路情報を編集する機能を備えたものである。
さらに、設定されたスケジュールに応じて予め携帯電話機の制御手順を登録する機能を備えたものである。
【００１１】
さらに、予め登録された手順を実行するかを判定する機能を備えたものである。
【００１２】
【発明の実施の形態】
以下、本発明の実施例を図面に基づいて詳細に説明する。図１は、本発明における一実施の形態を示すブロック図である。図１において、本例の携帯電話機は、位置情報取得部１０１と経路情報処理部１０２と経路情報１０８とアクション処理部１１２と表示部１０６、入力部１０７で実現されている。尚、携帯電話機は一例であり、携帯端末や各種コンピュータなどを用いてもよい。
【００１３】
経路情報処理部１０２には、通過地点情報設定部１０３と経路情報監視部１０４と経路情報編集部１０５が割り当てられ、経路情報１０８には、通過地点情報１０９とアクション情報１１０が記憶されている。また、アクション処理部１１２には、条件判定部１１３とアクション実行部１１４が割り当てられている。
【００１４】
通過地点情報設定操作により、現在の位置情報が、位置情報取得部１０１により取得され、取得された位置情報は、通過地点情報設定部１０３により、通過地点情報１０９に記憶される。また、経路情報監視部１０４は、通過経路が通過地点情報１０９と合致しているかを判定し、通過地点情報１０９に合致している場合は、アクション情報処理部１１２で予め登録しておいたアクション情報１１０を読み出し、さらに条件判定部１１３にて実行条件に合致しているかどうかを判定し、実行可能であれば、アクション実行部１１４でアクション情報１１０を実行する機能を有している。
【００１５】
図２と図３を用いて、通過地点情報処理部１０２による通過地点情報設定の流れを示す。通過地点情報設定状態がＯＮ状態かどうか判定し（ステップ２０１）、通過地点情報設定状態がＯＮ状態でなければ動作パラメータで指定されたウエイト時間４０３の間ウエイトを実施する（ステップ２１２）。通過地点情報設定状態が、ＯＮ状態となった場合、動作パラメータで指定されたタイムアウト時間４０１、位置情報取得間隔４０２を読み取る（ステップ２０２、ステップ２０３）。
【００１６】
次に現在時刻を取得（ステップ２０４）した後、現在の位置情報を取得し（ステップ２０５）取得した位置情報を通過地点情報１０９として格納する（ステップ２０６）。次に通過地点情報設定状態がＯＮ状態かどうか判定し（ステップ２０７）通過地点情報設定状態がＯＮ状態でなければ処理を終了する。ＯＮ状態の場合は、現在時刻を収集し（ステップ２０８）、タイムアウトかどうか判定する（ステップ２０９）。
【００１７】
タイムアウトの場合は、処理を終了すし、タイムアウトでなければ位置情報取得間隔の時刻が経過しているか判定し（ステップ２１０）、次位置情報取得間隔時刻まで経過していない場合は、設定時間になるまでウエイトを実施する（ステップ２１１）。
【００１８】
図４は、通過地点情報設定部１０３が設定した通過地点情報１０９とアクション情報１１０から構成される経路情報１０８を示している。通過地点情報の設定は、通過地点情報設定操作により設定されるもので、パターン番号を示したパターン３０１、パターン名を設定するタイトル３０２、通過地点情報番号を示した項番３０３、設定開始時刻を「０’００」として設定する毎に設定開始時刻からの時間情報を設定する相対時刻３０４、設定開始時刻を「０’００」として位置情報取得間隔毎の時間情報を設定する時間間隔３０５、位置情報取得部１０１から取得した現在の位置情報を設定する位置情報３０６、通過地点情報名を設定する場所３０７から構成される。
【００１９】
また、アクション情報３０８は、携帯電話の制御手順を設定するアクション３０９と実行条件を示す条件３１０から構成される。
【００２０】
図５、図６は、経路情報編集部１０５の経路情報編集処理について示している。
【００２１】
設定されたスケジュールに合うように通過地点情報１０９を編集することができる。特定のスケジュールに対応したタイトル４０２を書き込むことができ、図７では、「帰宅」４２０を書き込んでいる例である。また、通過地点情報４１２、４１３、４１４、４１５を特定のスケジュールに合わせることができるように、通過地点情報４１２を削除することができる。本例では、項番１の通過地点情報４１２と項番３の通過位置情報４１４を削除している。
【００２２】
さらに通過地点情報の項番毎に場所情報４２１、４２２を書き込むことが可能である。また、アクション情報４０８の設定方法は、アクション４１７は、アクション項目４２６から実行したいアクションを選択するものとし、本例では、メール４２７を選択している。メール４２７を選択した場合は、メール設定４６０の通知先の宛先４６１と件名４６２と本文４６３を設定する。
【００２３】
さらに条件４１８の設定ができ、条件設定４４０で指定されたアクションを実施する条件の設定を行う。条件設定４４０は、指定方法４４１を毎日指定４５０、日付指定４５１、曜日指定４５２のいずれかを選択する。その後に、毎日指定４５０ならば、日時を４４３指定し、日付指定４５１ならば、日付・曜日４４２に日付を指定し時間４４３を指定する。また、曜日指定の場合は、日付・曜日４４２に曜日を指定し時間４４３を指定する。
【００２４】
本例では、曜日指定４５１で月曜日〜金曜日までの１８時００分から２４時００分までならアクション情報を実行する設定の例を行っている。前述の経路情報編集を行った結果を図７に示す。
【００２５】
図８は、通過地点情報設定部１０３の動作パラメータを示している。動作パラメータには、通過地点情報設定処理のタイムアウト時間５０１と位置情報取得間隔５０２、前述のウエイト時間５０３があり、どちらも設定変更可能である。
【００２６】
図９は、経路情報監視部１０４の動作パラメータを示している。動作パラメータには、許容時間６０１、ウエイト時間６０２があり、どちらも設定変更可能である。
【００２７】
図１０は、通信機器の操作状態を表す通過地点情報設定状態７０１と経路監視設定状態７０２の端末状態格納テーブルを示している。通過地点情報設定状態になれば、通過地点情報設定状態７０１がＯＦＦ状態からＯＮ状態になり、経路情報監視状態になれば、経路情報監視設定状態７０２がＯＦＦ状態からＯＮ状態になる。
【００２８】
図１１は、経路情報監視部１０４による経路情報監視処理の流れを示す。経路情報監視状態がＯＮ状態かどうか判定し（ステップ８０１）、経路情報監視状態がＯＮ状態でなければ動作パラメータで指定された時間ウエイトを実施する（ステップ８１２）。経路情報監視状態が、ＯＮ状態になった場合、現在の位置情報を読み取り（ステップ８０２）。
【００２９】
現在の位置情報と設定されている経路情報の第一通過地点情報と一致しているか判定する（ステップ８０３）。一致していない場合は、ウエイトを行い一致するまで繰り返す。第一通過地点情報が一致した場合、次現在位置情報を取得し（ステップ８０４）、次現在位置情報と次通過地点情報と一致しているか判定する（ステップ８０５）。
【００３０】
不一致であれば相対時刻情報の判定を行い（ステップ８０６）許容外なら最初に戻る。許容内なら位置情報取得（ステップ８０４）へ戻る。また、次経路情報判定で一致していた場合、次々経路情報があるかチェックする（ステップ８０７）、次々経路情報が有る場合は、位置情報取得（ステップ８０４）へ戻り、無いならばアクション処理部をコールする。
【００３１】
図１２は、アクション処理部１１２条件判定処理１１３の処理の流れを示している。まず、アクション情報があるかチェックし（ステップ９０１）、アクション情報が設定されていない場合は、処理終了。アクション情報が設定されている場合は、アクション情報の読み出しを行い（ステップ９０２）、読み出したアクション情報の条件設定があるかチェックを行う（ステップ９０３）。
【００３２】
条件設定が無い場合は、アクション実行部（ステップ９０９）をコールする（ステップ９０３）。条件設定が有る場合は、現在の時刻情報の取得を行い（ステップ９０４）、その後、条件設定の指定方法のチェックを行う（ステップ９０５）。指定方法には、日付指定、曜日指定、毎日指定があり、日付指定の場合は、現在の日付と条件設定の日付のチェックを行い（ステップ９０６）条件に合致していないなら処理終了。
【００３３】
条件に合致している場合は、現在の時刻と条件設定の時間のチェックを行い（ステップ９０７）、条件に合致していない場合は処理終了し、合致している場合は、アクション実行部（ステップ９０９）をコールする。また、曜日指定の場合は、現在の曜日と条件設定の曜日のチェックを行い（ステップ９０８）条件に合致していないなら処理終了。
【００３４】
条件に合致している場合は、現在の時刻と条件設定の時間のチェックを行い（ステップ９０７）、条件に合致していない場合は、処理終了し、合致している場合は、アクション実行部（ステップ９０９）をコールする。毎日指定の場合は、現在の時刻と条件設定の時間のチェックを行い（ステップ９０７）、条件に合致していない場合は、処理終了し、合致している場合は、アクション実行部（ステップ９０９）をコールする。
【００３５】
図１３は、アクション処理部１１２に実装されているアクション実行部１１４の処理の流れを示している。まず、アクション情報の読み出しを行い（ステップ１００１）、読み出したアクション情報のアクション設定があるかチェックを行う（ステップ１００２）。アクションが設定されていない場合は、処理終了。
【００３６】
アクション設定されている場合は、アクションがメール、電源制御、マナー制御、その他を判定し（ステップ１００３、ステップ１００４、ステップ１００５、ステップ１００６）、設定されたアクションがメールの場合は、予め設定されたアドレスへ予め設定された内容をメール送信することが可能である（ステップ１０１３）。
【００３７】
また、電源制御の場合は、電源のＯＮ／ＯＦＦの制御を実施する（ステップ１０１４）。マナー制御の場合は、マナーモードの切り替えの制御を実施する（ステップ１０１５）。その他の場合は、予め設定しておいた手順を実行することができる（ステップ１０１６）。
【００３８】
図１４は、本発明を提供した効的な使用例を示している。通信機器１２０５より位置情報取得要求があった場合に、基地局１２０２を介して通信機器の現在の位置情報を提供する位置情報管理センター１２００より現在の位置情報が提供される。また、通信機器がエリアＡ１２０８からエリアＢ１２０９、エリアＣ１２１０へ移動した場合においても通信機器の現在の位置情報を提供する位置情報管理センター１２００より現在の位置情報が提供される。
【００３９】
本発明によれば、特定のスケジュールの設定に基づいて、予め登録した手順を実行可能とする携帯電話端末や情報提供システムを提供することが可能となる。
【００４０】
【発明の効果】
本発明によれば、スケジュールの設定に基づいて、予め登録した手順を実行可能とする携帯端末を提供することができる。
【図面の簡単な説明】
【図１】本発明における一実施の形態を示すブロック図である。
【図２】通過地点情報設定処理の流れを示したものである。
【図３】通過地点情報設定処理の流れを示したものである。
【図４】通過地点情報設定部が設定した経路情報１０８を示たものである。
【図５】経路情報編集処理について説明する図である。
【図６】経路情報編集処理について説明する図である。
【図７】経路情報編集後について表した図である。
【図８】通過地点情報設定用パラメータを示した図である。
【図９】経路情報監視用パラメータを示した図である。
【図１０】端末の状態を示した図である。
【図１１】経路情報監視部の処理の流れを示した図である。
【図１２】条件判定部の処理の流れを示した図である。
【図１３】アクション実行部の処理の流れを示した図である。
【図１４】本発明の全体構成を示した図である。
【符号の説明】
１００  通信機器
１０１  位置情報取得部
１０２  経路情報処理部
１０３  通過地点情報設定部
１０４  経路情報監視
１０５  経路情報編集部
１０８  経路情報
１０９  通過地点情報
１１０  アクション情報
１１２  アクション処理部
１１３  条件判定部
１１４  アクション実行部
【図１】
2004304393.tif 000003
【図２】
2004304393.tif 000004
【図３】
2004304393.tif 000005
【図４】
2004304393.tif 000006
【図５】
2004304393.tif 000007
【図６】
2004304393.tif 000008
【図７】
2004304393.tif 000009
【図８】
2004304393.tif 000010
【図９】
2004304393.tif 000011
【図１０】
2004304393.tif 000012
【図１１】
2004304393.tif 000013
【図１２】
2004304393.tif 000014
【図１３】
2004304393.tif 000015
【図１４】
2004304393.tif 000016